(57)【要約】      （修正有）【課題】閉成位置でも開成位置でもない中途位置で放置されたドアを閉成位置又は開成位置に適宜移動させて、閉成位置又は開成位置に保持することが可能なドアシステムを提供する。【解決手段】ドアＤを閉成位置に保持するラッチ機構１００と、ドアＤを開成位置に保持するドアキャッチャ２００と、ドアＤを回転動作可能に支持し、且つ開成位置と閉成位置との間の中途位置にあるドアＤを開口部Ｓに対する所定の開き角度を境に開成方向又は閉成方向の何れかに付勢する蝶番４００とを備えたドアシステムＸとした。【選択図】図１
2012172450.tif 000002
【特許請求の範囲】
【請求項１】
室内の開口部を回転しながら開閉し得るドアに適用可能なドアシステムであって、
前記ドアを閉成位置に保持するラッチ機構と、
前記ドアを開成位置に保持するドアキャッチャと、
前記ドアを回転動作可能に支持し、且つ開成位置と閉成位置との間の中途位置にある前記ドアを前記開口部に対する所定の開き角度を境に開成方向又は閉成方向の何れかに付勢する蝶番とを備えたことを特徴とするドアシステム。
【請求項２】
前記蝶番が、
第１軸筒を有する第１蝶番要素と、
第２軸筒を有する第２蝶番要素と、
一端部側領域を前記第１軸筒内に回転不能に挿入するとともに他端部側領域を前記第２軸筒内に回転可能に挿入してこれら軸筒同士を同軸上に配置し、且つ少なくとも前記第１軸筒側への移動が規制されたシャフトと、
前記第２軸筒内に回転不能な状態で軸方向に昇降移動可能に収容され、且つ前記シャフトの他端部側領域に設けたカムピンが係合可能なカム溝を有する筒状カム部材と、
前記第２軸筒内に収容される圧縮バネとを備え、
前記カム溝が、当該カム溝のうち最も前記第１軸筒に近接した領域である傾斜切替領域と、前記筒状カム部材の周方向における異なる２点からそれぞれ前記傾斜切替領域に向かって漸次傾斜させた第１傾斜領域及び第２傾斜領域とを有する略山折り形状をなすものであり、
前記カムピンが前記カム溝の第１傾斜領域を前記傾斜切替領域に向かって移動する場合、及び前記カムピンが前記カム溝の第２傾斜領域を前記傾斜切替領域に向かって移動する場合に、前記第２軸筒内において前記第１軸筒から離反する方向に移動する前記筒状カム部材によって圧縮バネを圧縮方向に押圧するように構成した請求項１に記載のドアシステム。
【請求項３】
前記ドアの閉成動作を補助するドアダンパをさらに備えた請求項１又は２に記載のドアシステム。
【請求項４】
前記ドアダンパが、前記ドアの開き角度が所定値よりも小さい場合にドアを閉成方向に向かって減速させながら引き込むものである請求項３に記載のドアシステム。
【請求項５】
前記ドアキャッチャが前記開成位置に到達した前記ドアを自動的に保持するものである請求項１乃至４の何れかに記載のドアシステム。
【発明の詳細な説明】
【技術分野】
【０００１】
本発明は、例えば室内空間と室外空間とを仕切り得る回転扉(以下、「ドア」とする)に適用可能なドアシステムに関し、特に回転扉が不意に開いたり閉じる動作を防止・抑制して安全性の向上を図ったものである。
【背景技術】
【０００２】
例えば居住空間と非居住空間とを仕切る回転扉（以下、「ドア」と称する）が開成位置と閉成位置との間の中途半端な位置に放置された場合に、何れか一方側の空間に風が流れると、ドアが突然閉まったり、或いは開くという事態が生じ得る。特に、近時では、多くの住宅が良好な住み心地を実現すべく気密性の高い構造となっているため、たとえ僅かな風（例えば換気扇の風）でも空間同士の間で気圧差が生じ、開成位置でも閉成位置でもない中途半端な位置にあるドアが意図せずに回転し、ドアの近くにいる人にとってはドアが危険物となり得る。とりわけ、突風が吹いた場合には、ドアが急スピードで閉成位置または開成位置に向かって回転するため危険が増大し、また大きな衝突音（衝撃音）が発生するおそれがあり、このような現象は高層階で特に生じ易い。
【０００３】
そこで、閉成位置にあるドアをドア枠に係留可能なラッチ機構によって閉成位置にある扉が不意に開くことを防止したり、また、開成位置にあるドアをその位置に留めておくドアキャッチャ（戸当たり）によって開成位置にあるドアが不意に閉まることを防止する構造が採用されている（例えば特許文献１参照）。
【先行技術文献】
【特許文献】
【０００４】
【特許文献１】特開２０００−４５６０６０号公報
【発明の概要】
【発明が解決しようとする課題】
【０００５】
しかしながら、ラッチ機構やドアキャッチャは、当然のことながらドアが閉成位置または開成位置にある場合にのみ機能するものであるため、ドアが閉成位置でも開成位置でもない中途位置に放置された場合には、上述した不具合が生じ得る。発明者らは経験上、ドアを無意識のうちに閉成位置又は開成位置の何れでもない位置で放置してしまうユーザが少なからず存在することを把握している。
【０００６】
なお、ドアを閉成位置に向かって付勢するドアダンパを設けた態様も知られているが、ドアダンパによるドアを閉成位置へ付勢する力に抗する風圧がその付勢力よりも大きい場合には機能を発揮し得ず、やはり上述した不具合が生じ得る。
【０００７】
本発明は、このような問題に着目してなされたものであって、主たる目的は、閉成位置でも開成位置でもない中途位置で放置されたドアを閉成位置又は開成位置に適宜移動させて、閉成位置又は開成位置に保持することが可能なドアシステムを提供することにある。
【課題を解決するための手段】
【０００８】
すなわち本発明は、室内の開口部を回転しながら開閉し得るドアに適用可能なドアシステムであって、ドアを閉成位置に保持するラッチ機構と、ドアを開成位置に保持するドアキャッチャと、ドアを回転動作可能に支持し、且つ開成位置と閉成位置との間の中途位置にあるドアを開口部に対する所定の開き角度を境に開成方向又は閉成方向の何れかに付勢する蝶番とを備えたことを特徴としている。
【０００９】
ここで、ラッチ機構はドアを閉成位置に自動的に保持するものであってもよいし、ドアを閉成位置に手動操作を経て保持するものであってもよい。また、ドアキャッチャも同様に、ドアを開成位置に自動的に保持するものであってもよいし、ドアを開成位置に手動操作を経て保持するものであっても構わない。また、「開口部に対する所定の開き角度」とは、建物の構造やユーザの要望等によって適宜設定可能な値である。
【００１０】
このようなドアシステムであれば、ドアが閉成位置でも開成位置でもない中途位置に放置された場合に、蝶番の作用、つまり開口部に対するドアの開き角度に応じてドアを閉成方向又は開成方向の何れか一方に付勢することによって、ドアは放置された中途位置で停止することなく、閉成方向又は開成方向に向かって移動することになる。そして、閉成位置に到達したドアはラッチ機構によってその位置を保持することができるとともに、閉成位置に到達したドアはドアキャッチャによってその位置を保持することができる。したがって、本実施形態に係るドアシステムによれば、ドアが中途位置に放置された状態で、ドアで仕切られるべき２つの空間に風によって気圧差が生じた場合に生じ得る不具合、つまり、ドアが不意に閉成方向又は開成方向に回転し、大きな衝撃音の発生のみならず、ドア付近の人によって危険物となり得るという不具合を防止・抑制することができる。
【００１１】
また、本発明のドアシステムにおいて、好適に用いられる蝶番として、第１軸筒を有する第１蝶番要素と、第２軸筒を有する第２蝶番要素と、一端部側領域を第１軸筒内に回転不能に挿入するとともに他端部側領域を第２軸筒内に回転可能に挿入してこれら軸筒同士を同軸上に配置するシャフトと、第２軸筒内に回転不能な状態で軸方向に昇降移動可能に収容され、且つシャフトの他端部側領域に設けたカムピンが係合可能なカム溝を有する筒状カム部材と、第２軸筒内に収容される圧縮バネとを備えたものを挙げることができる。そして、このような蝶番において、カム溝として、カム溝のうち最も第１軸筒に近接した領域である傾斜切替領域と、筒状カム部材の周方向における異なる２点からそれぞれ傾斜切替領域に向かって漸次傾斜させた第１傾斜領域及び第２傾斜領域とを有する略山折り形状をなすものを適用して、カムピンがカム溝の第１傾斜領域を傾斜切替領域に向かって移動する場合、及びカムピンがカム溝の第２傾斜領域を傾斜切替領域に向かって移動する場合に、第２軸筒内において第１軸筒から離反する方向に移動する筒状カム部材によって圧縮バネを圧縮方向に押圧するように構成することが好ましい。
【００１２】
このような蝶番であれば、第１蝶番要素を第２蝶番要素に対して所定方向（この方向を順方向とする）に回転させた場合、第１蝶番要素と共にシャフトが第２軸筒に対して回転することにより、第２軸筒内においてカムピンがカム溝の第１傾斜領域又は第２傾斜領域の何れか一方（例えば第１傾斜領域）にガイドされながら傾斜切替領域に向かって移動する。この際、シャフトは第１軸筒側への移動が規制されているため、筒状カム部材は、第２軸筒内において第１軸筒から離反する方向に移動する。すると、この筒状カム部材によって圧縮バネが圧縮方向に押圧される。そして、カムピンが傾斜切替領域に到達し、そのまま傾斜切替領域を越えて他方の傾斜領域（例えば第２傾斜領域）に進入すると、押される力に対して戻ろうとする圧縮バネの作用（復元力）によって、カムピンは当該傾斜領域（例えば第２傾斜領域）を傾斜切替領域から離反する方向へ自動的に移動する。
【００１３】
ここで、第１蝶番要素を第２蝶番要素に対して順方向に回転させる前の状態を第１状態とし、カムピンが一方の傾斜領域（例えば第１傾斜領域）から傾斜切替領域を越えて他方の傾斜領域（例えば第２傾斜領域）を自動的に移動した後の状態を第２状態とすると、本発明に係る蝶番は、第１状態において第１蝶番要素を所定角度回転させる操作力を与えることによって自動的に第２状態へと移行することができる。
【００１４】
また、第２状態において、第１蝶番要素を第２蝶番要素に対して逆方向に回転させた場合、第１蝶番要素と共にシャフトが第２軸筒に対して回転することにより、第２軸筒内においてカムピンがカム溝の第２傾斜領域にガイドされながら傾斜切替領域に向かって移動する。この際、シャフトは第１軸筒側への移動が規制されているため、筒状カム部材は、第２軸筒内において第１軸筒から離反する方向に移動する。すると、この筒状カム部材によって圧縮バネが圧縮方向に押圧される。そして、カムピンが傾斜切替領域に到達し、そのまま傾斜切替領域を越えて第１傾斜領域に進入すると、圧縮バネの復元力によって、カムピンは当該傾斜領域を傾斜切替領域から離反する方向へ自動的に移動する。その結果、蝶番は、第２状態において第１蝶番要素を所定角度回転させる操作力を与えることによって自動的に第１状態へと移動する。
【００１５】
また、上述した作用原理により、蝶番を第１状態から第２状態へ移行させる際にカムピンが傾斜切替領域を越える前の時点で、第１蝶番要素を第２蝶番要素に対して順方向に回転させる操作力が停止または低下した場合、圧縮バネの復元力によってカムピンは第１傾斜領域を傾斜切替領域から離反する方向に移動する。その結果、蝶番は第１状態となる。同様に、蝶番を第２状態から第１状態へ移行させる際にカムピンが傾斜切替領域を越える前の時点で、第１蝶番要素を第２蝶番要素に対して逆方向に回転させる操作力が停止または低下した場合、圧縮バネの復元力によってカムピンは第２傾斜領域を傾斜切替領域から離反する方向に移動する。その結果、蝶番は第２状態となる。
【００１６】
このような蝶番をドアと開口縁部との間に介在させて取り付ける（何れか一方の蝶番要素をドアに取り付けて、他方の蝶番要素を開口縁部に取り付ける）ことにより、簡単な構成でありながらドアを常に閉成方向または開成方向の何れかに付勢することができ、ドアが中途位置でしばらく放置されるということがなく、好適である。
【００１７】
また、本発明のドアシステムとして、ドアの閉成動作を補助するドアダンパをさらに備えたものを適用すれば、ドアダンパの作用によって閉成位置に向かうドアの移動速度を減速させることができるとともに、ドアの閉成動作がより一層確実且つスムーズになる。ここで、ドアダンパは、ドアの閉成動作を補助するものであればどのような機構や作動原理を採用したものであってもよい。
【００１８】
特に、ドアダンパが、ドアの開き角度が所定値よりも小さい場合にドアを閉成方向に向かって減速させながら引き込む構成のものであれば、ドアが意図せずに高速で閉まってしまう事態を回避することができて安全性が向上し、また、ドアを閉成位置に確実に移動させることも期待できる。
【００１９】
さらに、ドアキャッチャが開成位置に到達したドアを自動的に保持するものであれば、ドアを開成位置にスムーズ且つ簡単にロックすることができる。
【発明の効果】
【００２０】
本発明によれば、閉成位置と開成位置との間にあるドアを蝶番によって閉成方向又は開成方向の何れかに付勢することが可能であるため、中途位置にあるドアを閉成位置又は開成位置に移動させることができる。そして、閉成位置に到達したドアをラッチ機構で保持することができる一方、開成位置に到達したドアをドアキャッチャで保持することができ、ドアが中途位置に放置され続けた場合に生じ得る事態、つまり、風によってドアが不意に閉成位置または開成位置に向かって移動してしまうという事態を防止・抑制することができる。
【図面の簡単な説明】
【００２１】
【図１】本発明の一実施形態に係るドアシステムの全体概略図。
【図２】同実施形態に係るドアシステムの平面模式図。
【図３】同ドアシステムにおいてドアが開成位置にある状態の図２対応図。
【図４】同ドアシステムに適用したドアキャッチャの全体概略図。
【図５】同ドアキャッチャによってドアを開成位置に保持した状態の図４対応図。
【図６】同ドアシステムに適用した蝶番の分解概略図。
【図７】同蝶番の第１蝶番要素の平面図。
【図８】同第１蝶番要素の正面図。
【図９】同蝶番の第２蝶番要素の平面図。
【図１０】同第２蝶番要素の正面図。
【図１１】同蝶番のシャフトの正面図。
【図１２】図１１のＹ方向矢視図。
【図１３】図１１とは異なる角度から見たシャフトの部分断面図。
【図１４】同蝶番の軸受の正面図。
【図１５】図１４のY方向矢視図。
【図１６】同蝶番の一部を断面にして示す作用説明図。
【図１７】同蝶番の筒状カム部材の展開した状態を一部簡略して示す図。
【図１８】同蝶番の作用説明図。
【図１９】同蝶番の作用説明図。
【図２０】同蝶番の作用説明図。
【図２１】同実施形態に係るドアシステムの一変形例の図３対応図。
【発明を実施するための形態】
【００２２】
以下、本発明の一実施形態を、図面を参照して説明する。
【００２３】
本実施形態に係るドアシステムＸは、例えば室内空間と室外空間とに連通する開口部Ｓを回転しながら開閉し得るドアＤ（回転扉）に適用可能なシステムである。本実施形態では、図１に示すように、開口部Ｓの周囲にドア枠Ｗを設けており、このドア枠Ｗが開口部Ｓ内の空間を他の空間と仕切り得る本発明の開口縁部に相当する。
【００２４】
ドアＤは、図２及び図３に示すように、一方の側縁部を吊元側として、開口部Ｓに嵌って当該開口部Ｓを閉成し得る閉成位置（Ｃ）と、開口部Ｓを開放した開成位置（Ｏ）との間で回転しながら移動するものである。本実施形態では、開口部Ｓに対するドアＤの開き角度が略１８０度となる位置を開成位置（Ｏ）に設定している。
【００２５】
そして、本実施形態に係るドアシステムＸは、図１乃至３に示すように、ドアＤを閉成位置（Ｃ）に保持するラッチ機構１００と、ドアＤを開成位置（Ｏ）に保持するドアキャッチャ２００と、ドアＤの閉成動作を補助するドアダンパ３００と、ドアＤを回転動作可能に支持し、且つ開成位置（Ｏ）と閉成位置（Ｃ）との間の中途位置にあるドアＤを開口部Ｓに対する所定の開き角度を境に開成方向又は閉成方向の何れかに付勢する蝶番４００とを備えている。
【００２６】
ラッチ機構１００は、図２及び図３に示すように、反吊元側の側縁部の所定の高さ位置においてドアＤの幅方向に突没動作可能なラッチ爪１０１と、開口部Ｓのうち反吊元側の側縁部（ドア枠Ｗの側縁部W１）に形成したラッチ孔１０３とを備え、ラッチ爪１０１を、ドアＤの側縁部よりもドアＤの幅方向に突出させた突出状態と、ドアＤの側縁部よりもドアＤの幅方向中央側に退避させた退避状態との間で変化させ、突出状態にあるラッチ爪１０１がラッチ孔１０３に係合することによってドアＤを閉成位置（Ｃ）に保持するものである（図２参照）。本実施形態では、バネ等の適宜の付勢手段（図示省略）によりラッチ爪１０１が常時突出状態となるように設定している（図１乃至図３参照）。
【００２７】
このラッチ機構１００は、閉成位置（Ｃ）にないドアＤが閉成方向に移動した場合に、閉成位置（Ｃ）に到達する直前で、それまで突出状態にあるラッチ爪１０１がドア枠Ｗの反吊元側の側縁部に当たることで一時的にドアＤの幅方向に没入して退避状態となり、ドアＤが閉成位置（Ｃ）に到達した時点でドア枠Ｗの側縁部W１との干渉が解消されたラッチ爪１０１が突出状態となってラッチ孔１０３に係合することによって、ドアＤを閉成位置（Ｃ）に保持することができる。また、ラッチ爪１０１の突出状態と退避状態との切替は、ドアＤに設けたノブＮに対する操作で行うことができ、閉成位置（Ｃ）にあるドアＤを開成方向に移動させる場合には、ノブＮを所定方向に回転させたり、或いはノブＮに設けたボタンを押すことによってラッチ爪１０１が突出状態から退避状態に切り替わり、ラッチ孔１０３との係合状態が解除され、ドアＤを閉成方向に移動させることができる。
【００２８】
ドアキャッチャ２００は、図１乃至３に示すように、床面に固定されるドアキャッチャ本体２０１と、ドアＤに固定されるロックピン２０３とを備えたものである。ドアキャッチャ本体２０１は、図４及び図５に示すように、回動可能なリング状回動体２０５と、リング状回動体２０５を回動させる機構（図示省略）を収納する枠体２０７と、枠体２０７を上方から被覆し得るカバー体２０９とを有する。
【００２９】
枠体２０７は、略円形状をなし、一端を前方に開放した帯状の切欠部２１１を中央部に形成したものである。切欠部２１１には、前面にピン本体２２９が当接し得るピン当接用段部２１３と、ピン当接用段部２１３よりも前方に設けられて切欠部２１１の開口側縁に沿ってスライド自在に嵌合するスライド体２１５とを一体に有するバンパ部材２１７を配置している。枠体２０７は床面の所定箇所に固定した後、枠体２０７の切欠部２１１と略同じ形状の切欠部２１９を有するカバー体２０９によって上方から被覆される。カバー体２０９の切欠部２１９と、枠体の切欠部２１１のうち平面視においてカバー体２０９の切欠部２１９に連通する部分とによってピン本体２２９を収容し得るピン用開口部２２１を形成している。
【００３０】
リング状回動体２０５は、枠体２０７に対して回動自在に遊嵌し、周縁部に起立壁部２２３と開口部２２５とを繰り返して設けたものである。本実施形態では起立壁部２２３と開口部２２５がそれぞれ４５度の間隔で周方向に並ぶように設定している。リング状回動体２０５の裏面には表面にある起立壁部２２３と開口部２２５の合計数と同じ個数の鋸刃状の係合溝を所定のピッチ（本実施形態では４５度間隔）で形成している（図示省略）。これら複数の係合溝に、枠体２０７に設けた単一のラチェット片（図示省略）が、バンパ部材２１７の進退動作に伴って順次係合し得るように設定してある。
【００３１】
ロックピン２０３は、ドアＤに固定したピン保持部２２７と、ピン保持部２２７に保持され且つピン保持部２２７の下縁部よりも下方に突出した状態でバネ付勢に抗して没入自在なピン本体２２９とを備えたものである。
【００３２】
次に、ドアキャッチャ２００の動作及び作用を図４及び図５を参照して説明する。ピン本体２２９をドアキャッチャ本体２０１で拘束していないフリー状態では、ピン用開口部２２１にリング状回動体２０５の開口部２２５が臨む（図４参照）。この状態でドアＤが開成方向に向かって移動してピン本体２２９がピン用開口部２２１に入ると、ピン当接用段部２１３の前面にピン本体２２９が当たり、この押圧力によってピン当接用段部２１３を含むバンパ部材２１７全体がバネ付勢に抗して後方に押され（図示省略）、それに伴ってリング状回動体２０５も枠体２０７内に収容した図示しない適宜の回動機構によって回転する。すると、図示しないラチェット片がそれまで係合していたリング状回動体２０５の係合溝との係合状態を解除し、リング状回動体２０５の周方向に並ぶ次の係合溝に新たに係合する。この状態で、ピン用開口部２２１にはリング状回動体２０５の起立壁部２２３が臨み、ピン本体２２９はピン用開口部２２１と起立壁部２２３とによって形成される閉空間内に閉じ込められる（図５参照）。その結果、ドアＤは開成位置（Ｏ）で保持される。
【００３３】
一方、ドアキャッチャ２００によるドアＤのロック状態を解除するには、ドアＤを更に開成方向に押す操作力を付与するだけでよい。つまり、ドアＤを更に開成方向に押すとピン本体２２９の押圧力によりバンパ部材２１７全体がバネ付勢に抗して後方に押され、それに伴ってリング状回動体２０５も回転する。すると、ラチェット片がそれまで係合していたリング状回動体２０５の係合溝との係合状態を解除し、リング状回動体２０５の周方向に並ぶ次の係合溝に新たに係合する。この際、ピン用開口部２２１にはリング状回動体２０５の開口部２２５が臨み、ピン本体２２９はドアキャッチャ本体２０１から離間する方向に移動可能となり、ドアＤを閉成方向に移動させることができる（図４）。
【００３４】
このように、本実施形態で適用するドアキャッチャ２００は、開成方向にドアＤが移動する際に生じる押圧力を利用して、リング状回動体２０５を停止させた状態から同じ方向に所定角度ずつ順次回転させることによって、ピン用開口部２２１を開いた状態と閉じた状態との間で切り替えることができる。
【００３５】
ドアダンパ３００は、図２及び図３に示すように、ドアＤに取り付けられて閉成位置（Ｃ）に到達する前の所定時点から閉成位置（Ｃ）に到達する時点までダンパ機能を発揮するダンパ本体３０１と、ドア枠Ｗに取り付けられる受座３０３とを備えたものである。
【００３６】
本実施形態では、ダンパ本体３０１を、油圧式ダンパを内蔵した本体部３０５と、本体部３０５に対して所定の抵抗力を受けた状態で回動可能な引込アーム３０７とを備えたものを適用している。引込アーム３０７には、受座３０３の軸状突起部３０９にガイドされるガイド溝３１１を形成している。
【００３７】
そして、ドアＤを開成位置（Ｏ）から閉成位置（Ｃ）に向かって移動させてドアＤの開口部Ｓに対する開き角度が所定値（本実施形態では１０度）となった時点で、ガイド溝３０５内に受座３０３の軸状突起部３０９が入り込み、さらにドアＤの閉成方向への移動に伴って、引込アーム３０７全体が、ガイド溝３０５に対する軸突起部３０９の進入度合いを大きくしながら、ダンパ本体３０１の本体部３０５に対して所定の抵抗力を受けた状態で回転する。
【００３８】
これにより、ドアダンパ３００は、ドアＤの閉成動作時に適切なダンパ機能を発揮し、閉成方向に向かうドアＤを減速させて閉成位置（Ｃ）に到達する際のドアＤの衝撃（衝撃音）を抑制することができるとともに、ガイド溝３０５に軸状突起部３０９をガイドさせることによってドアＤ全体を閉成位置（Ｃ）に向かって適切に引き込むことができる。
【００３９】
蝶番４００は、図１に示すように、ドアＤに取り付けられる第１蝶番要素４０１と、ドアＤによって開閉可能な開口部Ｓを有するドア枠Ｗに取り付けられる第２蝶番要素４０３とを備えたものである。本実施形態では、第１蝶番要素４０１を第２蝶番要素４０３よりも相対的に上側に配置する上側蝶番要素とするとともに、第２蝶番要素４０３を相対的に下側に配置する下側蝶番要素としている。
【００４０】
第１蝶番要素４０１は、図６乃至図８（図７、図８はそれぞれ第１蝶番要素４０１の平面図、正面図である）に示すように、第１羽根板４０５と、第１羽根板４０５の一方の側縁部に形成した第１軸筒４０７とを備え、第１羽根板４０５の所定箇所（図示例では４隅近傍箇所）に形成したビス取付用孔４０９に挿入したビスをドアＤに形成したネジ孔に螺合させることによって、ドアＤに固定可能なものである。第１軸筒４０７の上端部には上側キャップ４１１を装脱可能に取り付けている。
【００４１】
第２蝶番要素４０３は、図６、図９及び図１０（図９、図１０はそれぞれ第２蝶番要素４０３の平面図、正面図である）に示すように、第２羽根板４１３と、第２羽根板４１３の一方の側縁部に形成した第２軸筒４１５とを備え、第２羽根板４１３の所定箇所（図示例では４隅近傍箇所と中央部）に形成したビス取付用孔４１７に挿入したビスをドア枠Ｗに形成したネジ孔に螺合させることによってドア枠Ｗに固定可能なものである。第２軸筒４１５の下端部には下側キャップ４１９を装脱可能に取り付けている。
【００４２】
本実施形態に係る蝶番４００は、これら蝶番要素（第１蝶番要素４０１、第２蝶番要素４０３）に加えて、上端部側領域を第１軸筒４０７内に回転不能に挿入するとともに下端部側領域を第２軸筒４１５内に回転可能に挿入して、これら軸筒（第１軸筒４０７、第２軸筒４１５）同士を同軸上に配置するシャフト４２１と、第２軸筒４１５内に回転不能な状態で軸方向Ａに昇降移動可能に収容した筒状カム部材４２３と、第２軸筒４１５内に収容される圧縮バネ４２５とを備えている。
【００４３】
シャフト４２１は、図６に示すように、第２軸筒４１５内に挿入する概略円柱状の下端部側領域にカムピン４２７を一体又は一体的に設けている。カムピン４２７の数や形成箇所は、後述するカム溝４２９の数や形成箇所に対応させている。本実施形態では、一対のカムピン４２７をシャフト４２１のうち、周方向に所定角度（図示例では略１８０度）位相を異ならせた箇所に設け、これらカムピン４２７をシャフト４２１の軸方向Ａ（高さ方向）に段違いに設けている。また、図１１及び図１２（図１１はシャフト４２１の正面図であり、図１２は図１１のＹ方向矢視図である）に示すように、シャフト４２１の高さ方向中央部近傍には、後述するボールベアリング４３１を回転可能に保持するボールベアリング保持部４３３を設けている。シャフト４２１のうち上端部側領域の外周面の一部には軸方向Ａに沿って延びる平坦部４３５を形成している。なお、図１３に示すように、シャフト４２１として、上端部の端面に開口するネジ孔と、ネジ孔の先端部に連通し且つシャフト４２１の外周面に開口するボール保持用孔とを有するものを適用することができる。この場合、ボール保持用孔にボールを収容した状態でネジ孔に対する六角穴付き止めねじ（ホーローセット）の螺合程度（進入距離）を変更することによって、シャフト４２１の外周面に対するボールの出っ張り具合を調整することができる。本実施形態では、このようなシャフト４２１の上端部側領域を、第１軸筒４０７内に回転不能に設けた軸受４３７に挿入している。シャフト１２１の上端部側領域を軸受１３７に挿入する際には、シャフト１２１の外周面に対するボール１２６の突出量をゼロまたはほぼゼロ以下に設定しておき、シャフト１２１の上端部側領域を軸受１３７に挿入した後で、例えば六角レンチ等の工具を用いてネジ孔１２２に対する六角穴付き止めねじ１２８（ホーローセット）の螺合程度（進入距離）を調整し、シャフト１２１の外周面に対するボール１２６の突出量を増やしてボール１２６を軸受１３７の内周面に押し付ける（図示省略）。その結果、このシャフト１２１を介して第１軸筒１０７と第２軸筒１１５を同軸上に強固に連結することができる。また、ボール１２６を第１軸筒１０７の内周面に直接又は間接的に（本実施形態では軸受１３７の内周面を介して間接的に）に接触させておくことにより、ドアＤの開閉に伴う第１軸筒１０７と第２軸筒１１５との相対回転時に、バネ１２５やカム機構（カムピン１２７、カム溝１２９）の作動に起因して軸筒１０７，１１５内で響き得る音の発生を防止・抑制することができる。
【００４４】
軸受４３７は、図６、図１４及び図１５（図１４は軸受４３７の正面図であり、図１５は図１４のＹ方向矢視図である）に示すように、概略円筒状をなし、外周面の一部に、第１軸筒４０７の内周面に形成した軸方向Ａに延伸するスライド溝４３９に係合可能な係合突条部４４１を形成し、内周面の一部に、シャフト４２１の上端部側領域の断面形状に対応させた平坦部４４３を形成したものである。そして、係合突条部４４１を第１軸筒４０７のスライド溝４３９に係合させることによって、軸受４３７は第１軸筒４０７に対して回転不能となる。また、シャフト４２１の平坦部４３５が軸受４３７の平坦部４４３と対面し得るようにシャフト４２１の上端部側領域を軸受４３７内に挿入することによって、軸受４３７はシャフト４２１を回転不能に保持することができる。
【００４５】
なお、シャフト４２１の上端部側領域を軸受４３７内に挿入する前の時点で、シャフト４２１とは別体であるボールベアリング保持体４４５（図６参照）と、シャフト４２１のボールベアリング保持部４３３との間に多数のボールベアリング４３１を回転可能な状態で保持させおく。そして、第２軸筒４１５内の上端開口部にワッシャ４４６を固定した状態で、下側キャップ４１９が装着されていない第２軸筒４１５の下端開口部からシャフト４２１を挿入し、その上端部側領域をワッシャ４４６の内孔に通すことにより、シャフト４２１は、下端部側領域を第２軸筒４１５内に収容し、上端部側領域を第２軸筒４１５外に露出した状態となる。この状態で、各軸筒（第１軸筒４０７、第２軸筒４１５）と外法径が同一のリング状ブッシュ４４７をシャフト４２１の上端から下方に落として込んで第２軸筒４１５の上端開口部またはワッシャ４４６に当接または近接する位置に配置しておく。そして、この状態でシャフト４２１の上端部側領域を軸受４３７内に挿入すると、図１６に示すように、リング状ブッシュ４４７が第１軸筒４０７の下端開口部または軸受４３７の下端開口部に接触または近接する。このワッシャ４４６により、シャフト４２１を中心とした第１蝶番要素４０１と第２蝶番要素４０３との相対回転運動の際に生じる摩擦抵抗の軽減化を図ることができる。なお、図１６は、第１蝶番要素４０１の第１羽根板４０５と第２蝶番要素４０３の第２羽根板４１３とが平面視においてほぼ重なり合う状態を一部断面にして模式的に示す図である。
【００４６】
筒状カム部材４２３は、図６に示すように、概略円筒状をなし、外周面に、第２軸筒４１５の内周面に形成した軸方向Ａに延伸するスライド溝４４７に係合可能な係合突条部４４９を有するものである。また、筒状カム部材４２３は、所定形状のカム溝４２９を有する。カム溝４２９は、筒状カム部材４２３の展開した状態を一部簡略して示す図１７に示すように、カム溝４２９のうち第１軸筒４０７側に最も寄った位置（本実施形態ではカム溝４２９のうち最も高い位置）に形成した傾斜切替領域４５１と、傾斜切替領域４５１から筒状カム部材４２３の周方向に沿った一方向（順方向）に延伸し、第１軸筒４０７から漸次離反する方向（本実施形態では下方向）に傾斜させた第１傾斜領域４５３と、傾斜切替領域４５１から筒状カム部材４２３の周方向に沿った他方向（逆方向）に延伸し、第１軸筒４０７から漸次離反する方向に傾斜させた第２傾斜領域４５５とを有する略下向きＶ字状のものである。なお、本実施形態では、傾斜切替領域４５１として、第１傾斜領域４５３又は第２傾斜領域４５５の一方から傾斜切替領域４５１へ到達したカムピン４２７が直ちに他方の傾斜領域へ移動し得るような形状に設定したものを適用している。したがって、傾斜切替領域４５１は、カム溝４２９において、カムピン４２７が自動的に第１傾斜領域４５３を通過するか、カムピン４２７が自動的に第２傾斜領域４５５を通過するかを決定する思案点（分岐点）として機能する。
【００４７】
また、本実施形態では、カム溝４２９として、第１傾斜領域４５３のうち最も第１軸筒４０７から離反した位置から第１傾斜領域４５３よりもさらに急勾配で第１軸筒４０７から離反する方向に傾斜させた第１急勾配領域４５７を形成するとともに、第２傾斜領域４５５のうち最も第１軸筒４０７から離反した位置から第２傾斜領域４５５よりもさらに急勾配で第２軸筒４１５から離反する方向に傾斜させた第２急勾配領域４５９を形成したものを適用している。本実施形態に係る蝶番４００は、このようなカム溝４２９を筒状カム部材４２３のうち、周方向に所定角度（図示例では略１８０度）位相を異ならせた箇所に形成している。特に、本実施形態では、一対のカム溝４２９を軸方向Ａに沿って段違いに形成している。なお、筒状カム部材４２３の外周面において高さ方向に延伸する係合突条部４４９はカム溝４２９によって一部切断されている（図６参照）。また、本実施形態では、一対の係合突条部４４９を、筒状カム部材４２３の外周面において１８０度位相を異ならせた位置に形成し、各係合突条部４４９におけるカム溝４２９による切断箇所は1箇所となるようにカム溝４２９の形成箇所を設定している。
【００４８】
このようなカム溝４２９にカムピン４２７を係合させて筒状カム部材４２３とシャフト４２１とを相互に組み付ける態様としては、筒状カム部材４２３に形成したカムピン取付用ネジ孔４６１にカムピン４２７を螺合する前の状態でシャフト４２１の下端部側領域を筒状カム部材４２３内に挿入し、カム溝４２９とカムピン取付用ネジ孔４６１とが連通する位置でカムピン取付用ネジ孔４６１にカムピン４２７を螺合して取り付けたり、或いはシャフト４２１の一端部側領域を筒状カム部材４２３に挿入した後、筒状カム部材４２３の所定箇所にカムピン４２７を溶接等により固定するものを挙げることができる。
【００４９】
圧縮バネ４２５は、図６及び図１６に示すように、下端部側領域を第２軸筒４１５内に挿入したシャフト４２１を下端から押圧し得るように第２軸筒４１５内に収容されるものである。そして、第２軸筒４１５の下端開口部近傍領域に螺合した圧縮量調整用ネジ４６３の螺合程度（進入距離）を変更することによって、第２軸筒４１５内に収容している圧縮バネ４２５全体の圧縮量を調整できる。なお、本実施形態では、圧縮バネ４２５と圧縮量調整用ネジ４６３との間にワッシャ４６５を介在させている。
【００５０】
次に、このような構成をなす蝶番４００の動作及び作用について説明する。
【００５１】
本実施形態では、ドアＤが閉成位置（Ｃ）にある場合にシャフト４２１のカムピン４２７がカム溝４２９の第１急勾配領域４５７に位置付けられるとともに、ドアＤが開成位置（Ｏ）にある場合にシャフト４２１のカムピン４２７がカム溝４２９の第２急勾配領域４５９に位置付けられるように設定している（図１６及び図１７参照、なお、図１７ではカムピン４２７自体及びその移動軌跡を二点鎖線で示す）。
【００５２】
先ず、閉成位置（Ｃ）にあるドアＤを開成方向へ回転させる操作力を付与した場合、ドアＤに固定した第１蝶番要素４０１が、ドア枠Ｗに固定した第２蝶番要素４０３に対して回転し、この回転動作に伴って、第１軸筒４０７と一体回転するシャフト４２１が第２軸筒４１５に対して回転する。ここで、シャフト４２１は、第１軸筒４０７内に回転不能に設けた軸受４３７に上端部側部分を回転不能に保持されているため、第１軸筒４０７と一体に第２軸筒４１５に対して回転する。第１軸筒４０７と共にシャフト４２１が第２軸筒４１５に対して回転すると、シャフト４２１の下端部側領域に設けたカムピン４２７がカム溝４２９のうち第１急勾配領域４５７及び第１傾斜領域４５３を順に辿りながら傾斜切替領域４５１に向かって移動する。シャフト４２１自体は第２軸筒４１５内においてリング状ブッシュ４４７により上昇移動（第１軸筒４０７側への移動）が規制されているため、シャフト４２１のカムピン４２７が傾斜切替領域４５１に向かって第１傾斜領域４５３を移動することにより、筒状カム部材４２３が圧縮バネ４２５のバネ力に抗して下降する。したがって、圧縮バネ４２５は、傾斜切替領域４５１に向かって第１傾斜領域４５３を移動するカムピン４２７が傾斜切替領域４５１に近付くにつれて圧縮量が大きくなる。そして、図１８に示すように、カムピン４２７が第１傾斜領域４５３から傾斜切替領域４５１に到達した時点で圧縮バネ４２５の圧縮量は最大となる。次いで、カムピン４２７が傾斜切替領域４５１を通過した（越えた）時点で、カムピン４２７が第２傾斜領域４５５を辿りながら傾斜切替領域４５１から離反する方向に移動する。この際、圧縮バネ４２５の弾性復帰力（復元力）により筒状カム部材４２３は押し上げられるため、ユーザがドアＤを開成方向へ回転させる操作力を停止したり、あるいは弱めてもカムピン４２７は第２傾斜領域４５５をスムーズ且つ自動的に移動する。そして、カムピン４２７が、圧縮バネ４２５の復元力及びドアＤの自重により第２傾斜領域４５５を第２急勾配領域４５９に向かって移動し、第２急勾配領域４５９に到達すると、ドアＤは自動的に開成位置（Ｏ）となる（図１９及び図２０参照）。なお、図１９は、カムピン４２７が第２急勾配領域４５９に到達した時点を図１８に対応して示す図であり、図２０は、同時点を反対側（図１９の紙面奥方側）から見た図である。
【００５３】
一方、開成位置（Ｏ）にあるドアＤを閉成方向へ回転させる操作力を付与した場合、第１蝶番要素４０１が第２蝶番要素４０３に対して回転し、この回転に伴ってシャフト４２１が第２軸筒４１５に対して回転する。この際、シャフト４２１のカムピン４２７が第２急勾配部４５９及び第２傾斜領域４５５を順に辿りながら傾斜切替領域４５１に向かって移動する。第２軸筒４１５内において上昇移動（第１軸筒４０７側への移動）が規制されているシャフト４２１のカムピン４２７が傾斜切替領域４５１に向かって第２傾斜領域４５５を移動することにより、筒状カム部材４２３が圧縮バネ４２５のバネ力に抗して下降する。そして、カムピン４２７が第２傾斜領域４５５から傾斜切替領域４５１に到達した時点で圧縮バネ４２５の圧縮量は最大となり（図１８参照）、カムピン４２７が傾斜切替領域４５１を通過した（越えた）時点で、カムピン４２７が第１傾斜領域４５３を辿りながら傾斜切替領域４５１から離反する方向に移動する。この際、圧縮バネ４２５の弾性復帰力（復元力）により筒状カム部材４２３は押し上げられるため、ユーザがドアＤを閉成方向へ回転させる操作力を停止したり、あるいは弱めてもカムピン４２７は第１傾斜領域４５３をスムーズ且つ自動的に移動する。そして、カムピン４２７が、圧縮バネ４２５の復元力及びドアＤの自重により第１傾斜領域４５３を第１急勾配領域４５７に向かって移動し、第１急勾配領域４５７に到達すると、ドアＤは自動的に閉成位置（Ｃ）となる（図１６参照）。
【００５４】
なお、本実施形態の蝶番４００は、ドアＤを略１８０度回転できるように、カム溝４２９の形状を設定している。具体的には、以下の条件、すなわち、図１７に示すように、閉成位置（Ｃ）にあるドアＤが開成方向に１５度回転するとカムピン４２７が第１急勾配領域４５７から第１傾斜領域４５３に到達するという条件、閉成位置（Ｃ）にあるドアＤが開成方向に１２０度回転するとカムピン４２７が傾斜切替領域４５１に到達するという条件、閉成位置（Ｃ）にあるドアＤが開成方向に１８０度回転すると第２急勾配領域４５９に到達するという条件、また、開成位置（Ｏ）にあるドアＤが閉成方向に１５度回転するとカムピン４２７が第２急勾配領域４５９から第２傾斜領域４５５に到達するという条件、開成位置（Ｏ）にあるドアＤが閉成方向に７５度回転させるとカムピン４２７が傾斜切替領域４５１に到達するという条件、開成位置（Ｏ）にあるドアＤが閉成方向に１８０度回転すると第１急勾配領域４５７に到達するという条件、これらの条件を満たすようにカム溝４２９の形状を設定している。さらに、本実施形態では、自動閉成動作及び自動開成動作を行う際に適宜のダンパ機能を奏するように各傾斜領域（第１傾斜領域４５３、第２傾斜領域４５５）の傾斜角度を適宜の値に設定している。
【００５５】
以上に述べた各部品や機構（ラッチ機構１００、ドアキャッチャ２００、ドアダンパ３００、蝶番４００）をドアＤに付帯させた本実施形態のドアシステムＸは、ユーザがドアＤを閉成位置（Ｃ）と開成位置（Ｏ）との間の中途位置の状態で、ドアＤを閉成方向又は開成方向の何れかへ移動させる操作力を停止したり、あるいは操作力を弱めた場合、ドアＤには、ドア枠Ｗの開口部Ｓに対するドアＤの開き角度に応じて、蝶番４００の機能により閉成方向又は開成方向の何れか一方へ移動する力が付与される。具体的には、図３に示すように、ドアＤを閉成方向又は開成方向の何れかへ移動させる操作力を停止したり、あるいは操作力を弱めた時点で、開口部Ｓに対するドアＤの開き角度θが１２０度未満であれば、すなわち、蝶番４００のカムピン４２７が第１傾斜領域４５３をトレース中であれば、圧縮バネ４２５の復元力によりカムピン４２７は第１傾斜領域４５３から第１急勾配領域４５７に向かって移動して、ドアＤは自動的に閉成位置（Ｃ）となる。この際、ドアダンパ３００によってドアＤの閉成動作を補助することができる。本実施形態では、ドアＤの開口部Ｓに対する開き角度θが所定角度（例えば１０度）になった時点で、ドアダンパ３００が作用し始める。具体的には、ドアＤの開口部Ｓに対する開き角度θが所定角度（例えば１０度）になった時点で、引込アーム３０７のガイド溝３０５が受座３０３の軸状突起部３０９に当たり（図３の想像線で示す）、そのままドアＤの閉成方向への移動に伴って軸状突起部３０９をガイド溝３０５の奥方（引込アーム３０７の回転中心側）に誘導させて引込アーム３０７全体が本体部３０５に内蔵した油圧式ダンパ機構による所定の抵抗力を受けながら本体部３０５に対して回転する。これにより、本実施形態に係るドアシステムＸは、ドアダンパ３００のダンパ機能によってドアＤを閉成位置（Ｃ）に近付いた所定の時点からゆっくり回転させて衝撃音の発生を防止・抑制することができるとともに、ドアＤを閉成位置（Ｃ）にまで確実に引き込むことができる。そして、ドアＤが閉成位置（Ｃ）に到達すると、上述したラッチ機構１００のラッチ爪１０１とラッチ孔１０３とが係合することによって、ドアＤを閉成位置（Ｃ）に自動的に保持することができる（図２参照）。
【００５６】
一方、ドアＤを閉成方向又は開成方向の何れかへ移動させる操作力を停止したり、あるいは操作力を弱めた時点で、開口部Ｓに対するドアＤの開き角度θが１２０度を越えた値であれば、すなわち、蝶番４００のカムピン４２７が第２傾斜領域４５５をトレース中であれば、圧縮バネ４２５の復元力によりカムピン４２７は第２傾斜領域４５５から第２急勾配領域４５９に向かって移動して、ドアＤは自動的に開成位置（Ｏ）となる。そして、ドアＤが開成位置（Ｏ）に到達すると、上述したドアキャッチャ２００のピン本体２２９とドアキャッチャ本体２０１とが係合することによって、ドアＤを閉成位置（Ｃ）に自動的に保持することができる（図３参照）。
【００５７】
このように、本実施形態に係るドアシステムＸは、閉成位置（Ｃ）でも開成位置（Ｏ）でもない中途位置にあるドアＤを蝶番４００の作用によって閉成方向又は開成方向の何れか一方へ付勢することができ、しかも、閉成位置（Ｃ）に到達したドアＤはラッチ機構１００によってその位置を保持することができるとともに、閉成位置（Ｃ）に到達したドアＤはドアキャッチャ２００によってその位置を保持することができる。したがって、本実施形態に係るドアシステムＸによれば、ドアＤが中途位置に放置された状態で、ドアＤで仕切られるべき２つの空間に風によって気圧差が生じた場合に生じ得る不具合、つまり、ドアＤが不意に閉成方向又は開成方向に回転して大きな衝撃音が発生したり、ドアＤ付近の人に危害が及ぶという不具合を防止・抑制することができる。特に、本実施形態に係るドアシステムＸは、ドアダンパ３００を備えているため、自動閉成動作を適切且つスムーズに行うものになる。
【００５８】
また、本実施形態のドアシステムＸに適用した蝶番４００は、カム溝４２９として、傾斜切替領域４５１を頂点とした略逆Ｖ字形状（山折り型）のものを適用し、カムピン４２７がカム溝４２９の第１傾斜領域４５３を傾斜切替領域４５１に向かって移動する場合、及びカムピン４２７がカム溝４２９の第２傾斜領域４５５を傾斜切替領域４５１に向かって移動する場合に、第２軸筒４１５内において第１軸筒４０７から離反する方向に移動する筒状カム部材４２３によって圧縮バネ４２５を圧縮方向に押圧するように構成している。したがって、第１傾斜領域４５３を傾斜切替領域４５１に向かって通過中のカムピン４２７が傾斜切替領域４５１を越える前の時点や、カムピン４２７が第２傾斜領域４５５から傾斜切替領域４５１を越えて第１傾斜領域４５３を通過している時点で、ユーザによる操作力が停止または低下した場合には、圧縮バネ４２５の復元力を利用して自動閉成動作を実現することができる。同様の原理で、第２傾斜領域４５５を傾斜切替領域４５１に向かって通過中のカムピン４２７が傾斜切替領域４５１を越える前の時点や、カムピン４２７が第１傾斜領域４５３から傾斜切替領域４５１を越えて第２傾斜領域４５５を通過している時点で、ユーザによる操作力が停止または低下した場合には、圧縮バネ４２５の復元力を利用して自動閉成動作を実現することができる。
【００５９】
また、本実施形態に係る蝶番４００は、各傾斜領域（第１傾斜領域４５３、第２傾斜領域４５５）の傾斜角度や、傾斜領域（第１傾斜領域４５３、第２傾斜領域４５５）をトレースする際に生じるカム溝４２９とカムピン４２７との摩擦力を適宜の値となるように調整することにより、自動開成動作及び自動閉成動作を行う際に良好なダンパ機能を奏し、蝶番４００の適宜箇所にカセット式ダンパを取り付ける態様と比較して、構造の複雑化及び高コスト化を回避することができ、実用性に優れる。
【００６０】
特に、本実施形態では、筒状カム部材４２３に同一形状のカム溝４２９を複数（図示例では２つ）形成し、各カム溝４２９にカムピン４２７をガイドさせるようにしているため、各カムピン４２７に作用する負荷を分散することができ、開成動作中または閉成動作中に過大な負荷が作用しているカムピン４２７がカム溝４２９に不用意に噛み込んでしまう事態を防止・抑制することができる。さらに、複数のカム溝４２９を筒状カム部材４２３の周方向に位相を異ならせた位置に形成しているため、同一位相に複数のカム溝４２９を形成した場合と比較して、筒状カム部材４２３がカム溝４２９から受ける荷重を効果的に分散することができる。
【００６１】
なお、本発明は上述した実施形態に限定されるものではない。例えば、上述した本実施形態では、開口部Ｓに対するドアＤの開き角度が略１８０度となる位置を開成位置（Ｏ）に設定しているが、建物の構造やユーザの要望等に応じて、開口部Ｓに対するドアＤの開き角度が例えば９０度（ドアＤに設けたノブＮが壁に当たることを回避するために９０度よりも低い値、例えば８５度等）となる位置を開成位置（Ｏ）に設定することも可能である。
【００６２】
この場合、図２１に示すように、ドアキャッチャ本体２０１の取付箇所を開成位置（Ｏ）に対応する適宜箇所に変更すれば、上述した実施形態で述べた各機構や部品をそのまま用いることも可能である。ここで、上述した蝶番４００による自動閉成動作と自動開成動作との切替点（思案点）は、開口部Ｓに対するドアＤの開き角度が１２０度となる点であるため、ドアＤを手動で開成位置（Ｏ）に到達する位置まで押した場合にのみドアキャッチャ２００によってドアＤを開成位置（Ｏ）に保持することができる一方、閉成位置（Ｃ）と開成位置（Ｏ）との間の中途位置でユーザによる操作力が停止または低下した場合、ドアＤは蝶番４００及びドアダンパ３００の作用によって閉成位置（Ｃ）に向かって付勢され、閉成位置（Ｃ）に到達したドアＤをラッチ機構１００によりその位置に保持することができる。したがって、ドアＤが中途位置でそのまま放置され続けるという事態は回避することができ、ドアＤが不意に閉まったり、開くという不具合を防止することができる。
【００６３】
また、各傾斜領域の距離を相互に異ならせることによって蝶番の思案点を適宜変更することができることを利用して、開口部に対するドアの任意の開き角度（図３におけるθに相当する角度）で自動閉成動作と自動開成動作とが切り替わるように構成することも可能である。
【００６４】
上述の実施形態では、壁に設けたドア枠が開口縁部である態様を例示したが、壁にドア枠を設けず、壁のうち開口部との境界部分が開口部の縁部である態様であってもよい。
【００６５】
さらに、上述した実施形態では、第１蝶番要素をドアに取り付けるとともに、第２蝶番要素を開口縁部（ドア枠）に取り付けた態様を例示したが、第１蝶番要素を開口縁部に取り付けるとともに、第２蝶番要素を開口縁部に取り付けて使用することもできる。さらに、第１蝶番要素を第２蝶番要素よりも下側に配置した下側蝶番要素として機能させるとともに、第２蝶番要素を第１蝶番要素よりも上側に配置した上側蝶番要素として機能させることも可能である。
【００６６】
また、カム溝は、少なくとも傾斜切替領域、第１傾斜領域及び第２傾斜領域を有するものであればよく、各傾斜領域の角度や距離は適宜変更してもよい。さらに、カム溝の数や形成箇所は、カムピンの数や形成箇所に対応させて変更することができる。
【００６７】
ドアによって開閉可能な開口部は室内空間と室外空間とに連通するものに限らず、共通の室内における居住空間同士に連通する開口部や、居住空間と非居住空間（押入やトイレ等）とに連通する開口部であっても構わない。
【００６８】
また、ラッチ機構やドアキャッチャとして、上述した構成以外の既知のものを適用してもよく、手動操作によってドアを閉成位置や開成位置に保持可能なものであっても構わない。さらに、ドアダンパも、上述した構成以外の既知のものを適用することが可能である。
【００６９】
その他、各部の具体的構成についても上記実施形態に限られるものではなく、本発明の趣旨を逸脱しない範囲で種々変形が可能である。
【符号の説明】
【００７０】
１００…ラッチ機構
２００…ドアキャッチャ
３００…ドアダンパ
４００…蝶番
４０１…第１蝶番要素
４０３…第２蝶番要素
４０７…第１軸筒
４１５…第２軸筒
４２１…シャフト
４２３…筒状カム部材
４２５…圧縮バネ
４２７…カムピン
４２９…カム溝
４５１…傾斜切替領域
４５３…第１傾斜領域
４５５…第２傾斜領域
Ｄ…ドア
Ｓ…開口部
Ｘ…ドアシステム
（Ｃ）…閉成位置
（Ｏ）…開成位置
【図１】
2012172450.tif 000003
【図２】
2012172450.tif 000004
【図３】
2012172450.tif 000005
【図４】
2012172450.tif 000006
【図５】
2012172450.tif 000007
【図６】
2012172450.tif 000008
【図７】
2012172450.tif 000009
【図８】
2012172450.tif 000010
【図９】
2012172450.tif 000011
【図１０】
2012172450.tif 000012
【図１１】
2012172450.tif 000013
【図１２】
2012172450.tif 000014
【図１３】
2012172450.tif 000015
【図１４】
2012172450.tif 000016
【図１５】
2012172450.tif 000017
【図１６】
2012172450.tif 000018
【図１７】
2012172450.tif 000019
【図１８】
2012172450.tif 000020
【図１９】
2012172450.tif 000021
【図２０】
2012172450.tif 000022
【図２１】
2012172450.tif 000023